(57)【要約】      （修正有）【課題】ナットを用いずに、ミラーを取り付け可能とする。【解決手段】ネジ穴を有する金属スリーブ２３を備えた。ミラー２は、光を反射する反射面２１を有している。また、ミラー２には、反射面２１が設けられた面に、貫通孔２２が形成されている。そして、この貫通孔２２に金属スリーブ（スリーブ）２３が嵌め込まれている。金属スリーブ２３は、取り付け用のネジを螺合可能なネジ穴を有している。また、金属スリーブ２３は円筒状に構成されている。なお、ミラー２が有する金属スリーブ２３は、投受光器が有する金属スリーブのネジ径と同一としてもよい。【選択図】図３
2018137057.tif 000002
【特許請求の範囲】
【請求項１】
ネジ穴を有するスリーブを備えた
ことを特徴とする反射型光電スイッチ用のミラー。
【請求項２】
前記スリーブは、金属スリーブである
ことを特徴とする請求項１記載の反射型光電スイッチ用のミラー。
【請求項３】
前記スリーブは、一端にフランジを有する
ことを特徴とする請求項１又は請求項２記載の反射型光電スイッチ用のミラー。
【請求項４】
光を投受光する投受光器と、
光を反射するミラーとを備え、
前記ミラーは、
ネジ穴を有するスリーブを備えた
ことを特徴とする反射型光電スイッチ。
【請求項５】
前記投受光器は、
ネジ穴を有する第２スリーブを備え、
前記スリーブは、前記第２スリーブと同一のネジ径である
ことを特徴とする請求項４記載の反射型光電スイッチ。
【発明の詳細な説明】
【技術分野】
【０００１】
この発明は、光を反射する反射型光電スイッチ用のミラー、及び当該ミラーを用いた反射型光電スイッチに関する。
【背景技術】
【０００２】
反射型光電スイッチは、光を投受光する投受光器と、光を反射するミラー（回帰反射板）とを備えている（例えば特許文献１参照）。例えば図６に示すように、ミラー１０２には、取り付け用のネジ４を挿通可能とする貫通孔１０２２が設けられている。そして、ミラー１０２をブラケット（取り付け部）３に取り付ける場合には、ミラー１０２に設けられた貫通孔１０２２側からブラケット３に設けられた取り付け穴３１に向かってネジ４を挿入し、ブラケット３側からナット５で締結している。
【先行技術文献】
【特許文献】
【０００３】
【特許文献１】特開２０１５−１１５１８７号公報
【発明の概要】
【発明が解決しようとする課題】
【０００４】
ここで、投受光器は、検出領域上に存在する被検出体に対して適切に光が当たるような取り付けが要求される。また、ミラーは、投受光器に対して適切に光を反射させるような取り付けが要求される。特に、被検出体が透明体である場合には、微妙な光軸ずれでも投受光器での受光量に影響が生じる。そのため、ミラーは、適切な位置に適切な締め付け力で取り付けられる必要がある。
【０００５】
一方、従来では、ミラーをネジとナットを用いて取り付けている。この場合、作業者は両手で締め付けを行う必要があるため、締め付け力を再現する感覚が得られ難い。この再現性の悪さは締め付け力の不安定さに繋がり、締め付け不足が生じる恐れがある。
また、ネジとナットによる締結では、ミラーの取り付け後に、ネジがブラケットから突出した状態となる。そのため、反射型光電スイッチの使用中に使用者が突出部分に接触する可能性が高くなる。そして、このような接触が生じてネジが緩むと、光軸がずれてしまい反射形光電スイッチによる検出に影響が生じてしまう。
【０００６】
この発明は、上記のような課題を解決するためになされたもので、ナットを用いずに、ミラーを取り付け可能な反射型光電スイッチ用のミラーを提供することを目的としている。
【課題を解決するための手段】
【０００７】
この発明に係る反射型光電スイッチ用のミラーは、ネジ穴を有するスリーブを備えたことを特徴とする。
【発明の効果】
【０００８】
この発明によれば、上記のように構成したので、ナットを用いずに、ミラーを取り付け可能となる。
【図面の簡単な説明】
【０００９】
【図１】この発明の実施の形態１に係る反射型光電スイッチの構成例を示す図である。
【図２】図２Ａ、図２Ｂは、この発明の実施の形態１に係る投受光器の構成例を示す図であり、図２Ａは正面図であり、図２Ｂは側面図である。
【図３】この発明の実施の形態１に係るミラーの構成例を示す図である。
【図４】この発明の実施の形態１に係るミラーの金属スリーブ周辺の構成例を示す図である。
【図５】この発明の実施の形態２に係るミラーの金属スリーブ周辺の構成例を示す図である。
【図６】従来のミラーの取り付け例を示す図である。
【発明を実施するための形態】
【００１０】
以下、この発明の実施の形態について図面を参照しながら詳細に説明する。
実施の形態１．
図１はこの発明の実施の形態１に係る反射型光電スイッチの構成例を示す図である。
反射型光電スイッチは、検出領域に対して光を投受光することで、検出領域に存在する被検出体を検出するセンサである。この反射型光電スイッチは、図１に示すように、投受光器１及びミラー（回帰反射板）２を備えている。投受光器１とミラー２は検出領域を挟んで対向配置される。
【００１１】
図２に示すように、投受光器１は、光を投光する投光部１１及び光を受光する受光部１２を有する。投光部１１は投光素子及び投光レンズから成り、受光部１２は受光素子及び受光レンズから成る。また、投受光器１には、側面に、貫通孔１３が形成されている。そして、この貫通孔１３に金属スリーブ（第２スリーブ）１４が嵌め込まれている。金属スリーブ１４は、取り付け用のネジ４ａを螺合可能なネジ穴を有している。
【００１２】
図３に示すように、ミラー２は、光を反射する反射面２１を有している。また、ミラー２には、反射面２１が設けられた面に、貫通孔２２が形成されている。そして、この貫通孔２２に金属スリーブ（スリーブ）２３が嵌め込まれている。金属スリーブ２３は、取り付け用のネジ４ｂを螺合可能なネジ穴を有している。また、実施の形態１では、金属スリーブ２３は円筒状に構成されている。なお、ミラー２が有する金属スリーブ２３は、投受光器１が有する金属スリーブ１４のネジ径と同一としてもよい。
【００１３】
次に、実施の形態１に係る反射型光電スイッチの取り付けについて説明する。
なお、投受光器１が取り付けられるブラケット（取り付け部）３ａには、取り付け用のネジ４ａを挿通可能な取り付け穴（長穴の場合を含む）３１ａが形成されている。また、図４に示すように、ミラー２が取り付けられるブラケット（取り付け部）３ｂにも、取り付け用のネジ４ｂを挿通可能な取り付け穴（長穴の場合を含む）３１ｂが形成されている。
投受光器１をブラケット３ａに取り付ける場合には、ブラケット３ａに設けられた取り付け穴３１ａ側から投受光器１に設けられた金属スリーブ１４に向かってネジ４ａを挿入し、金属スリーブ１４のネジ穴に対してドライバ等を用いてネジ締めを行う。この際、作業者は、片方の手で投受光器１を適切な位置に保持しながら、もう片方の手でネジ締めを行う。これにより、投受光器１をブラケット３ａに取り付けることができる。この投受光器１の取り付けは従来と同様である。
【００１４】
また、ミラー２をブラケット３ｂに取り付ける場合には、図４に示すように、ブラケット３ｂに設けられた取り付け穴３１ｂ側からミラー２に設けられた金属スリーブ２３に向かってネジ４ｂを挿入し、金属スリーブ２３のネジ穴に対してドライバ等を用いてネジ締めを行う。この際、作業者は、片方の手でミラー２を適切な位置に保持しながら、もう片方の手でネジ締めを行う。これにより、ミラー２をブラケット３ｂに取り付けることができる。
【００１５】
このように、実施の形態１に係るミラー２の取り付けでは、作業者は、片方の手でミラー２を適切な位置に保持しながら、もう片方の手でネジ締めを行うことができる。これにより、作業者は、締め付け力を再現する感覚を得ながらネジ締めを行うことができ、適切な締め付けを行うことができる。
また、従来のようにナット５を用いる必要がないため、部品数を削減できる。なお、ミラー２に金属スリーブ２３を設ける必要があるため、ミラー２の製造コストは従来よりも上がる。
【００１６】
また、投受光器１に設けられた金属スリーブ１４とミラー２に設けられた金属スリーブ２３とが同一のネジ径である場合には、投受光器１の取り付け作業からミラー２の取り付け作業に移行する際に、工具を変更する必要がなくなる。よって、作業全体の効率化を図れる。
【００１７】
また、投受光器１の取り付けについても、ミラー２と同レベルでの緩み難い締め付けが必要であり、且つ、同レベルでの締め付け過ぎによる破損を回避する必要がある。そのため、投受光器１の取り付け作業とミラー２の取り付け作業とを共通化することで、締め付け力を再現する感覚も共通化され、作業性が向上する。
【００１８】
以上のように、この実施の形態１によれば、ネジ穴を有する金属スリーブ２３を備えたので、ナット５を用いずに、ミラー２を取り付け可能となる。その結果、ミラー２の取り付け後の緩みを低減でき、また、ミラー２の取り付け作業を改善できる。
【００１９】
実施の形態２．
実施の形態１では、図４に示すように、ミラー２の貫通孔２２に円筒状の金属スリーブ２３を嵌め込んだ場合を示した。一方、ブラケット３ｂに設けられた取り付け穴３１ｂは、ミラー２の位置を微調整可能とするため、ミラー２に設けられた貫通孔２２に対して大きく構成されている。また、実施の形態１に係るミラー２の取り付けでは、ネジ４ｂがブラケット３ｂに設けられた取り付け穴３１ｂ側からミラー２に設けられた金属スリーブ２３に向かって挿入されてネジ締めされる。そのため、ネジ４ｂの締め付け力が、金属スリーブ２３に対するミラー２からの抜き取り力として作用する。すなわち、ネジ４ｂと金属スリーブ２３との締結力が相互の引張力として作用するため、金属スリーブ２３にはミラー２から抜き取られる方向（図４の上向き矢印方向）の力が生じる。その結果、金属スリーブ２３がミラー２から抜けてしまう恐れがある。そこで、実施の形態２では、金属スリーブ２３をミラー２から抜け難くした構成を示す。
図５はこの発明の実施の形態２に係るミラー２の金属スリーブ２３周辺の構成例を示す図である。この図５に示す実施の形態２に係るミラー２では、図１に示す実施の形態１に係るミラー２に対し、貫通孔２２及び金属スリーブ２３の形状を変えている。その他の構成は同様であり、同一の符号を付してその説明を省略する。
【００２０】
実施の形態２における貫通孔２２では、実施の形態１における貫通孔２２に対し、反射面２１が設けられた面（図５における下面）とは反対側の面（図５における上面）に、大径溝２２１が形成されている。
また、実施の形態２における金属スリーブ２３では、実施の形態１における金属スリーブ２３に対し、一端にフランジ２３１が設けられている。このフランジ２３１の径は、ブラケット３ｂに設けられた取り付け穴３１ｂの幅（丸穴の場合には径、長穴の場合には短手方向の幅）に対して大きく構成される。この金属スリーブ２３のフランジ２３１は、貫通孔２２の大径溝２２１に嵌め込まれる。
【００２１】
このように、金属スリーブ２３の一端に、ブラケット３ｂに設けられた取り付け穴３１ｂの幅よりも大きい径を有するフランジ２３１を設けることで、ミラー２の取り付け作業において、フランジ２３１がブラケット３ｂにより保持されることになる。よって、金属スリーブ２３にネジ締めによる抜き取り力が生じても、金属スリーブ２３がミラー２から抜けることを防ぐことができる。
【００２２】
なお上記では、投受光器１に金属スリーブ１４を設け、ミラー２に金属スリーブ２３を設けた場合を示した。このように、スリーブとして金属製のスリーブを用いることで、低コスト化を図れる。しかしながら、これに限らず、その他のスリーブを設けてもよい。例えば、金属スリーブ１４，２３に代えてセラミック製のスリーブを用いてもよい。
【００２３】
また、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００２４】
１  投受光器
２  ミラー
３ａ，３ｂ  ブラケット（取り付け部）
４ａ，４ｂ  ネジ
１１  投光部
１２  受光部
１３  貫通孔
１４  金属スリーブ（第２スリーブ）
２１  反射面
２２  貫通孔
２３  金属スリーブ（スリーブ）
３１ａ，３１ｂ  取り付け穴
２２１  大径溝
２３１  フランジ
【図１】
2018137057.tif 000003
【図２】
2018137057.tif 000004
【図３】
2018137057.tif 000005
【図４】
2018137057.tif 000006
【図５】
2018137057.tif 000007
【図６】
2018137057.tif 000008